(57)【要約】  本発明は、きれいな空気でホールドアのディスプレイを換気させる換気装置に関し、金属からなるエレベータホールドアＤの開口部１５の後側のホールドアＤの裏面に固定され、エレベータホールドアの後側に突出してモニターＭを収納する直六面体形態のモニターボックスＭＢ、前記モニターボックスＭＢ内に固定されるモニターＭ、および前記エレベータホールドアＤの開口部１５の後側に配置され、モニターＭを前面の衝撃から保護するためにモニター全体をカバーする大きさを有する強化ガラス板２０を備えたエレベータホールドアのディスプレイ用の換気装置であって、前記ホールドアＤの中央側面部Ｄ１に形成され、前記モニターボックスＭＢの内部に連結される複数の吸排気口５２，５４、および前記モニターボックスＭＢの内部に前記吸排気口５２，５４とモニターＭとの間に配置され、空気を換気させる２個の送風ファンＦ１〜２を含み、前記送風ファンＦ１〜２が作動すれば、建物の廊下やエレベータケージ側の空気が前記吸排気口５２，５４のうちの吸気口５２を通してモニターボックスＭＢ内に流入されてモニターＭを冷却した後、吸排気口５２，５４のうちの排気口５４を通して建物の廊下やケージに排出される。【選択図】図４
2017505743.tif 000002
【特許請求の範囲】
【請求項１】
金属からなるエレベータホールドアＤの開口部１５の後側のホールドアＤの裏面に固定され、エレベータホールドアＤの後側に突出してモニターＭを収納する直六面体形態のモニターボックスＭＢ、前記モニターボックスＭＢ内に固定されるモニターＭ、および前記エレベータホールドアＤの開口部１５の後側に配置され、モニターＭを前面の衝撃から保護するためにモニター全体をカバーする大きさを有する強化ガラス板２０を備えたエレベータホールドアＤのディスプレイ用の換気装置であって、
前記ホールドアＤの中央側面部Ｄ１に形成され、前記モニターボックスＭＢの内部に連結される複数の吸排気口５２，５４、および
前記モニターボックスＭＢの内部に前記吸排気口５２，５４とモニターＭとの間に配置され、空気を換気させる２個の送風ファンＦ１〜Ｆ２を含み、
前記送風ファンＦ１〜Ｆ２が作動すれば、建物の廊下やエレベータケージ側の空気が前記吸排気口５２，５４のうちの吸気口５２を通してモニターボックスＭＢ内に流入されてモニターＭを冷却した後、吸排気口５２，５４のうちの排気口５４を通して建物の廊下やケージに排出されることを特徴とするエレベータホールドアのディスプレイ用の換気装置。
【請求項２】
前記吸排気口５２，５４と送風ファンＦ１〜Ｆ２との間に防虫網６０が設けられることを特徴とする、請求項１に記載のエレベータホールドアのディスプレイ用の換気装置。
【請求項３】
前記送風ファンＦ１〜Ｆ２およびモニターＭに連結されて送風ファンとモニターの作動を停止させるスイッチＳをさらに含むことを特徴とする、請求項１または２に記載のエレベータホールドアのディスプレイ用の換気装置。
【発明の詳細な説明】
【技術分野】
【０００１】
本発明はエレベータホールドアのディスプレイ用の換気装置に関し、具体的には、きれいな空気でホールドアのディスプレイを換気させる換気装置に関する。
【背景技術】
【０００２】
図１は、従来のエレベータのケージＣと昇降路Ｌの関係を示す断面図である。最近、エレベータの廊下側のホールドアＤやケージ側のケージドアに乗客に情報を伝達するためのディスプレイを設ける事例が少しずつ登場している。このようなディスプレイ装置は、モニターから生じられた熱を冷却するための換気装置を別途に備えなければならない。一方、エレベータケージＣが昇降する通路である昇降路Ｌは外部と遮断された密閉空間であり、エレベータケージの頻繁な昇降運動のために常にホコリや異質物が空気中に多量含まれている汚染された空気で満たされているのが一般的である。このため、エレベータホールドアＤに設けられたディスプレイを冷却するが、昇降路Ｌの空気を利用すると、空気中に含まれたホコリや異質物によってディスプレイのモニターの誤作動や故障の危険が非常に高い。以下、エレベータの廊下側のホールドアを「エレベータホールドア」または単純に「ホールドア」という。
【０００３】
一方、一般の建物に用いられるエレベータの昇降路の内部とケージは必ず防火構造を有しなければならない。特にエレベータホールドアは火災の危険に備えて消防法上必ず防火機能を備えなければならない。図２は、従来の一般の平面ホールドアと、ディスプレイを備えたホールドアが火災時にどのように防火機能を発揮するかを示す概略断面図である。図示したように、右側の一般ドアは平面金属板からなっているので防火機能に何の問題がない。
【０００４】
しかし、左側のディスプレイが設けられたホールドアの場合は、モニターの冷却のための換気口がモニターボックスに形成されて後側のケージと通じる場合、ディスプレイの前面開口部を通して火花が窪んだ部分に集中し、換気口を通してケージ内部に広がるために火災に脆弱であるという問題がある。すなわち、窪んだディスプレイ部分に火花が集中し、ケージ内部に火花が広がる構造であるために火災に非常に脆弱であり、このような構造はエレベータに使うことが極めて困難な問題がある。
【発明の概要】
【発明が解決しようとする課題】
【０００５】
本発明は、従来のこのような問題点を考慮して導き出されたものであり、汚染された昇降路の空気でない、きれいなケージや廊下内部の空気を利用して、エレベータホールドアに設けられたディスプレイのモニターを冷却することによって、汚染された空気によるモニターの誤作動や故障を防止することを主な目的とする。
【０００６】
また、本発明は、火災が発生した時、ディスプレイ部分に集中する熱気をエレベータケージ側ではなく外部に排出して、エレベータホールドアのディスプレイ部分の防火機能を強化することを目的とする。
【課題を解決するための手段】
【０００７】
このような本発明の目的を達成するために、本発明は、金属からなるエレベータホールドアＤの開口部１５の後側のホールドアＤの裏面に固定され、エレベータホールドアの後側に突出してモニターＭを収納する直六面体形態のモニターボックスＭＢ、前記モニターボックスＭＢ内に固定されるモニターＭ、および前記エレベータホールドアＤの開口部１５の後側に配置され、モニターＭを前面の衝撃から保護するためにモニター全体をカバーする大きさを有する強化ガラス板２０を備えたエレベータホールドアのディスプレイ用の換気装置であって、
前記ホールドアＤの中央側面部Ｄ１に形成され、前記モニターボックスＭＢの内部に連結される複数の吸排気口５２，５４、および
前記モニターボックスＭＢの内部に前記吸排気口５２，５４とモニターＭとの間に配置され、空気を換気させる２個の送風ファンＦ１〜２を含み、
前記送風ファンＦ１〜２が作動すれば、建物の廊下やエレベータケージ側の空気が前記吸排気口５２，５４のうちの吸気口５２を通してモニターボックスＭＢ内に流入されてモニターＭを冷却した後、吸排気口５２，５４のうちの排気口５４を通して建物の廊下やケージに排出されるエレベータホールドアのディスプレイ用の換気装置を提供する。
【０００８】
本発明の換気装置において、吸排気口５２，５４と送風ファンＦ１〜２との間に防虫網６０が設けられることが好ましい。
【０００９】
また、本発明の換気装置は、送風ファンＦ１〜２およびモニターＭに連結されて送風ファンとモニターの作動を停止させるスイッチＳをさらに含んでもよい。
【発明の効果】
【００１０】
このように構成された本発明のエレベータホールドアのディスプレイ用の換気装置によれば、きれいな空気でモニターを冷却することができるため、モニターの誤作動と故障を防止することができ、また、防火機能を強化することができる。
【図面の簡単な説明】
【００１１】
【図１】従来のエレベータのケージＣと昇降路Ｌの関係を示す断面図である。
【図２】従来の一般の平面ホールドアと、ディスプレイを備えたホールドアが火災時にどのように防火機能を発揮するかを示す概略断面図である。
【図３】図３Ａ〜３Ｂは本発明を実現したエレベータホールドアＤの前方斜視図と後方斜視図である。
【図４】図３ＡのＩＶ−ＩＶ線断面図と部分拡大図である。
【図５】モニターと送風ファンの停止スイッチＳを示す部分断面図である。
【図６】本発明の構造の理解を助けるためにホールドアＤの後側から見た分離斜視図である。
【図７】図２に対応する本発明の例を示す断面図である。
【発明を実施するための形態】
【００１２】
図３Ａ〜３Ｂは本発明を実現したエレベータホールドアＤの前方斜視図と後方斜視図であり、図４は図３ＡのＩＶ−ＩＶ線断面図と部分拡大図である。
【００１３】
図３〜４に示すように、金属からなるエレベータホールドアＤの開口部１５の後側のホールドアＤの裏面にエレベータホールドアの後側に突出してモニターＭを収納する直六面体形態のモニターボックスＭＢが固定される。このモニターボックスＭＢ内にモニターＭが固定され、モニターに連結される電線は防火構造の電線ガイドＧを介してモニターボックスＭＢの外部に延びて電源やコントローラに連結される。また、エレベータホールドアＤの開口部１５の後側とモニターＭとの間には、モニターを外部の衝撃から保護するためにモニター全体をカバーする大きさを有する強化ガラス板２０を設ける。このような強化ガラス板２０は、ガラス板支持台２２によってホールドアＤに固定される。
【００１４】
図３Ａおよび図４の拡大図に示すように、ホールドアＤの中央側面部Ｄ１に複数の吸気口５２と排気口５４が形成され、このような吸排気口５２，５４はモニターボックスＭＢの内部に連結される。図面には吸気口５２と排気口５４が上下に２列ずつ形成されているが、必要によっては吸気口と排気口が位置を変えてもよく（例えば、上方穴が排気口であり、下方穴が吸気口であってもよい）、２列でない１列または３列、４列などに形成されてもよい。このような吸排気口はエレベータホールドア、特に中央側面部Ｄ１の支持強度を害しない範囲内で形成されなければならない。ここで、中央側面部Ｄ１とは両側エレベータホールドアが互いに会う側面をいう。
【００１５】
また、モニターボックスＭＢの内部に吸排気口５２，５４とモニターＭとの間に空気を換気させる２個の送風ファンＦ１〜２を設ける。図４に示された送風ファンＦ１は吸入用送風ファンであり、この送風ファンＦ１が作動すれば、吸気口５２を通して矢印のように空気が流れてモニターＭを冷却するようになる。すなわち、吸入用と排気用の両送風ファンＦ１〜２が作動すれば、建物の廊下やエレベータケージ側の新鮮できれいな空気が吸気口５２を通してモニターボックスＭＢ内に流入されてモニターＭを冷却した後、排気口５４を通して再び建物の廊下やケージに排出される。
【００１６】
一方、蚊やハエなどの昆虫や異質物が吸入空気に合流してモニターＭに入ると、モニターの誤作動や故障の原因となるため、それを事前に遮断することが好ましい。本発明では、このために、吸排気口５２，５４と送風ファンＦ１〜２との間に防虫網６０を設ける。この場合、吸入される空気が防虫網６０を通過して濾過されるため、昆虫や異質物が内部に入るのを遮断することができる。
【００１７】
建物に設けられるエレベータは、入居初期にはほぼ引越し荷物を運ぶための用途として使用されるのが一般的である。このように乗客の輸送でない引越し専用の環境ではエレベータ周辺の空気が普段より汚染されるほかはない。このような環境では、換気装置を停止させることがモニターの安全のために好ましい。その他にも、必要によっては、換気装置は勿論、モニターを手動で停止させなければならない状況がありうる。本発明では、このような状況に備えて、送風ファンとモニターを強制的に停止させるスイッチＳを利用する。図５は、このような非常停止スイッチＳを示す部分断面図である。このようなスイッチＳを作動させれば、送風ファンＦ１〜２とモニターＭが停止するようにし、その連結関係は本発明の通常の技術者であれば容易に理解することができるので詳しい説明は省略する。このようなスイッチＳとしてはいかなるものでもよいが、作業者の便宜のために、特に引越し荷物を運ぶ作業者が容易に作動させるように矢印方向に押して作動させるプッシュボタン式スイッチを用いることが好ましい（図５参照）。このようなスイッチＳは、作動の便宜性のために、そして関係者のみ作動させるように接近の制限性をおき、ホールドアの中央側面部Ｄ１の吸気口と排気口との間に配置することが好ましい（図３Ａ参照）。しかし、必ずしもこれに限定されるものではなく、必要であれば、他のところに配置してもよい。
【００１８】
図６は、本発明の構造の理解を助けるためにホールドアＤの後側から見た分離斜視図である。図示したように、矢印方向に流入された空気はモニターＭを冷却した後、再び矢印方向に抜け出る。一方、場合によっては、送風ファンＦ１〜２を設けずに空気の自然対流を用いた冷却方式を採択することもできる。
【００１９】
図７は、図２に対応する本発明の例を示す断面図である。右側は従来の平面ドアであり、左側は本発明を適用したディスプレイが設けられたホールドアである。図示したように、本発明を適用した構造では、火花がホールドアＤの後側でないホールドアの側面に形成された吸排気口５２，５４を通してモニターボックスＭＢの外部に排出されることができるため、エレベータケージ内部に火花が伝播するのを遮断することによって火災に備えた防火機能を十分に実現することができる。
【図１】
2017505743.tif 000003
【図２】
2017505743.tif 000004
【図３Ａ】
2017505743.tif 000005
【図３Ｂ】
2017505743.tif 000006
【図５】
2017505743.tif 000007
【図６】
2017505743.tif 000008
【図７】
2017505743.tif 000009
【図４】
2017505743.tif 000010
【国際調査報告】
2017505743.tif 000011
2017505743.tif 000012
2017505743.tif 000013
2017505743.tif 000014